(57)【特許請求の範囲】
【請求項１】
電話回線を接続するためのモジュラージャックと、送受話器を接続するためのモジュラージャックと、電話回線をファクシミリ側と送受話器側とのうちのいずれかに接続するためのＣＭＬリレーとを備え、入力されたコードに応じた情報を記憶する制御を行う制御部を有するファクシミリ装置において、
前記送受話器を接続するためのモジュラージャックに入力される信号を、前記ＣＭＬリレーに入力される一方の信号と、他方の信号とに分岐させる分岐部と、
前記分岐部で分岐された信号のうちの前記他方の信号を入力して前記制御部に供給する信号入力部とを備えた
ことを特徴とするファクシミリ装置。
【請求項２】
信号入力部は、入力された信号をパラレルデータに変換するシリアル−パラレル変換部を有する
請求項１記載のファクシミリ装置。
【請求項３】
電話回線を接続するためのモジュラージャックと、送受話器を接続するためのモジュラージャックと、電話回線をファクシミリ側と送受話器側とのうちのいずれかに接続するためのＣＭＬリレーと、入力されたコードに応じた情報を記憶する制御を行う制御部と、前記送受話器を接続するためのモジュラージャックに入力される信号を前記ＣＭＬリレーに入力される一方の信号と他方の信号とに分岐させる分岐部と、前記分岐部で分岐された信号のうちの前記他方の信号を入力して前記制御部に供給する信号入力部とを備えたファクシミリ装置と、
文字を入力するためのキーと、前記ファクシミリ装置における前記送受話器を接続するためのモジュラージャックに接続可能な信号出力端子を備えたデータ入力装置とからなる
ことを特徴とするデータ入力システム。
【請求項４】
ファクシミリ装置における信号入力部は、入力された信号をパラレルデータに変換するシリアル−パラレル変換部を有する
請求項３記載のデータ入力システム。
【発明の詳細な説明】
【０００１】
【発明の属する技術分野】
本発明は、ファクシミリ装置、およびファクシミリ装置等に対して容易にデータを入力することができるデータ入力装置に関する。
【０００２】
【従来の技術】
図８は、従来のファクシミリ装置の一例を示す斜視図である。図８に示すファクシミリ装置１の表面には、「０」〜「９」、「＊」および「＃」のキー等が配された操作部３、および例えばＬＣＤによる表示部３が設けられている。以下、「０」〜「９」、「＊」および「＃」のキーを含めてテンキーと呼ぶ。操作部３には、テンキー以外のキーも設けられている。また、図８に示すファクシミリ装置１において、左側にはハンドセット（送受話器）４が設置され、操作部３の後部には原稿セット台５および記録紙排出スタッカ部６が設置されている。
【０００３】
ファクシミリ装置が内蔵している不揮発性ＲＡＭは、種々のデータを記憶することができる。例えば、不揮発性ＲＡＭには、発信者識別情報、自局電話番号、短縮ダイヤル番号等が記憶される。不揮発性ＲＡＭに種々のデータを記憶させるには、使用者または保守員（以下、使用者等という。）が、操作部３のテンキー等からデータを入力する必要がある。一般に、発信者識別情報は文字で構成される。また、短縮ダイヤル番号を記憶させる際に、その番号に対応した相手先名も記憶させることができるが、相手先名も記憶させるためには、文字を入力する必要がある。
【０００４】
例えば「ア」の文字を入力する場合には、「ア」に対応するものとしてあらかじめ決められている複数のキーを押下したり、あらかじめ決められている所定のキーを押下することによって「ア」行の５文字を表示部３に表示し、表示されている各文字の中から「ア」を選択するといったキー操作が要求される。
【０００５】
【発明が解決しようとする課題】
文字その他のデータを入力する場合に、データ入力のためのキーの数に限りがあるので、使用者等は、１文字を入力する場合でも多数のキーを押下しなければならなず、入力操作が煩雑になってしまう。データ入力のためのキー操作を簡略化するにはキーの数を増やせばよいが、キー数を増やしたのでは、操作部３の面積が増大し、装置サイズが大きくなってしまう。
【０００６】
また、特開平３−２７３４１８号公報には、カード状の電子電話帳を装着することによって、ファクシミリ装置におけるキー数を増やすことなく操作を簡略化しうるファクシミリ装置が記載されている。しかし、そのような構成を採用した場合には、電子電話帳の装着部分の分だけ面積が増加してしまう。
【０００７】
そこで、本発明は、ファクシミリ装置におけるキー数を増やすことなく、また、装置サイズを増大させることなく、文字その他のデータを容易に入力しうるファクシミリ装置およびデータ入力システムを提供することを目的とする。
【０００８】
【課題を解決するための手段】
本発明によるファクシミリ装置は、入力されたコードに応じた情報を記憶する制御を行う制御部を有するファクシミリ装置であって、送受話器を接続するためのモジュラージャックに入力される信号を、ＣＭＬリレーに入力される一方の信号と他方の信号とに分岐させる分岐部と、分岐部で分岐された他方の信号を入力して制御部に供給する信号入力部とを備えたことを特徴とする。
【００１０】
本発明によるデータ入力システムは、上記のファクシミリ装置と、文字を入力するためのキーとファクシミリ装置における送受話器を接続するためのモジュラージャックに接続可能な信号出力端子とを備えたデータ入力装置からなることを特徴とする。
【００１１】
【発明の実施の形態】
以下、本発明の実施の形態を図面を参照して説明する。
図１は本発明によるファクシミリ装置１とデータ入力装置５１とが接続された状態を示す斜視図である。図１に示すファクシミリ装置１の表面には、テンキー等が配された操作部３、および例えばＬＣＤによる表示部３が設けられている。操作部３には、テンキー以外のキーも設けられている。また、図１に示すファクシミリ装置１において、左側にはハンドセット（送受話器）４が設置され、操作部３の後部には原稿セット台５および記録紙排出スタッカ部６が設置されている。
【００１２】
データ入力装置５１は、例えば、パーソナルコンピュータに設けられているキーボードと同様のものである。データ入力装置５１には接続ケーブル６１が接続されている。接続ケーブル６１の先端部（信号出力端子）６２の形状は、図２に示すように、ハンドセット４をファクシミリ装置１の本体に接続するためのモジュラーコネクタと同一形状である。そして、接続ケーブル６１の先端部６２は、ファクシミリ装置１におけるハンドセット４が接続されるモジュラージャック２２に接続可能である。
【００１３】
図３は、図１に示されたファクシミリ装置１の内部構成例を示すブロック図である。装置全体の制御を行う主制御部１１は、例えばマイクロコンピュータで構成され、操作部２および表示部３に接続され、操作部２からキー操作に応じた信号を入力するとともに、表示部３に対して表示データに応じた信号を出力する。読取部１２はイメージセンサを含み、読み取った原稿内容に応じたデータを主制御部１１に出力する。記録部１３は、主制御部１１から出力されるデータに応じて記録紙に印刷を行う。
【００１４】
記憶部１４には、主制御部１１のマイクロコンピュータを動作させるためのプログラムを内蔵したＲＯＭおよび揮発性のＲＡＭの他に、不揮発性のＲＡＭも含まれる。符号化復号部１５は、読取部１２からのデータを所定の符号化方式に従って符号化するとともに、受信された符号化データを２値データに復号する。
【００１５】
通信制御部１６は、モデム（Ｇ３ファクシミリの場合）を含み、符号化データにもとづく変調を行って変調波をＮＣＵ（網制御部）１７を介して回線側に送出するとともに、ＮＣＵ１７を介して受信した信号を復調する。シリアルインタフェース（ＳＩＯ）１８は、モジュラージャック２２に接続されたデータ入力装置５１からの信号をＮＣＵ１７を介して入力し、入力した信号をパラレルデータに変換して主制御部１１に出力する。
【００１６】
なお、この実施の形態では、入力されたコードに応じた情報を記憶する制御を行う制御部は主制御部１１で実現されている。また、送受話器を接続するためのモジュラージャックから入力される信号を制御部に供給する信号入力部はＳＩＯ１８で実現されている。
【００１７】
図４は、ＮＣＵ１７の一構成例を示すブロック図である。図４に示すように、ＮＣＵ１７には、電話回線（Ｌ１，Ｌ２）を接続するためのモジュラージャック２１およびハンドセット４を接続するためのモジュラージャック２２が設置されている。ＮＣＵ１７において、Ｌ１，Ｌ２のラインには電話回線側からの呼出音信号を検出するためのリンガ検出回路２３が接続され、リンガ検出回路２３は、呼出音信号を検出すると、主制御部１１に対してリンガ信号を出力する。Ｌ１，Ｌ２のラインには、さらに、電話回線をファクシミリ側と送受話器側とのうちにいずれかに接続するためのＣＭＬリレー２４が設けられている。ＣＭＬリレー２４の送受話器側にはモジュラージャック２２がある。
【００１８】
ＣＭＬリレー２４のファクシミリ側にはライントランス２５が設けられ、さらに、ライントランス２４通信制御部１６側には、通信制御部１６からの信号をライントランス２５側に伝達するとともに電話回線側からの信号を通信制御部１６に伝達するためのハイブリッド回路２６が設けられている。また、ＣＭＬリレー２４とモジュラージャック２２との間には、ハンドセット４のオフフックを検出するオフフック検出回路２７が設けられている。オフフック検出回路２７は、オフフックを検出すると、主制御部１１にオフフック信号を出力する。
【００１９】
ファクシミリ装置１の使用者等は、モジュラージャック２２からハンドセット４を外し、データ入力装置５１の接続ケーブル６１の先端部６２をモジュラージャック２２に挿入することによって、データ入力装置５１をファクシミリ装置１に接続することができる（図１，図２参照）。
【００２０】
モジュラージャック２２からＣＭＬリレー２４に至る信号線は分岐して、モジュラージャック２２からの信号はＳＩＯ１８にも入力される。ＳＩＯ１８には、モジュラージャック２２からの信号の電圧変換（例えば±４８Ｖから０〜５Ｖ）を行う電圧変換回路３１、電圧変換回路３１からの信号を８ビットパラレル信号に変換して主制御部１１に出力するシリアル−パラレル変換回路（Ｓ−Ｐ変換回路）３３が設けられている。なお、電圧変換回路３１は必須のものではない。
【００２１】
また、モジュラージャック２２とＣＭＬリレー２４との間にスイッチを設け、ハンドセット４が接続されている場合には、モジュラージャック２２とＣＭＬリレー２４とを接続するようにし、データ入力装置５１が接続される場合には、モジュラージャック２２とＣＭＬリレー２４との間を切り離し、モジュラージャック２２とＳＩＯ１８とを接続するように構成してもよい。
【００２２】
図５は、データ入力装置５１の回路構成例を示すブロック図である。データ入力装置５１には、データ入力装置５１の表面に設けられているキーの押下を検知して押下されたことを示すキー部５２が設けられている。データ入力装置５１の表面には、例えばパーソナルコンピュータのキーボード部と同様に、アルファベット、かな、および数字等に対応した多数のキーが設けられている。アルファベットのキーとかなのキーとはパーソナルコンピュータと同様に兼用されて切替用のキーによって切り替えられるようになっていてもよいし、それらが独立したキーとして設けられていてもよい。キー部５２は、いずれかのキーが押下されると、押下されたキーに応じたコードを出力する。コード変換回路５３は、キー部５２から出力されたコードを、例えばシフトＪＩＳコードに変換する。なお、キー部５２がシフトＪＩＳコードを出力するように構成してもよい。
【００２３】
コード変換回路５３の出力は電圧変換回路５４で電圧変換された後、接続ケーブル６１に出力される。電圧変換回路５４は、接続ケーブル６１で伝達される信号がハンドセット４からの信号と同様にファクシミリ装置１のＮＣＵ１７に入力されることから、電話回線側に規定外の電圧レベルが送出されてしまうことを防止するために、データ入力装置５１からファクシミリ装置１に伝達される信号の電圧レベルをハンドセット４からの信号の電圧レベルと同一にするために設けられている。ただし、電圧変換回路５４は必須のものではなく、なくてもよい。
【００２４】
図６は、データ入力装置５１からファクシミリ装置１に伝達される信号のフォーマット例を示す説明図である。図６に示す例では、データ入力装置５１からファクシミリ装置１に対して、スタートビットとストップビットとを用いた非同期形式で信号が伝達される。
【００２５】
データ入力装置５１からの信号は、モジュラージャック２２からファクシミリ装置１のＮＣＵ１７に入力され、ＮＣＵ１７を介してＳＩＯ１８に入力される。Ｓ−Ｐ変換回路３３は、図６に示された非同期形式の信号からスタートビットを契機にしてデータを取り込み、取り込んだデータ（スタートビットとストップビットとを含まないデータ）を主制御部１１に出力する。
【００２６】
次に、図７のフローチャートを参照して、文字その他のデータを入力する場合の主制御部１１の動作について説明する。ファクシミリ装置１の操作部２には、ファンクションキーが含まれている。使用者等は、文字その他のデータを入力する場合には、ファクシミリ装置１のモジュラージャック２２からハンドセット４を外し、データ入力装置５１の接続コード６１の先端部６２をモジュラージャック２２に接続する。そして、ファンクションキーによって入力モードを選択する。入力モードとは、例えば、発信者識別情報を入力するモードや短縮ダイヤル番号を入力するモード等である。なお、ファンクションキーが押下されると、主制御部１１は、電話回線側に信号が洩れ出さないように、ＣＭＬリレー２４をファクシミリ側に切り替えておく。
【００２７】
主制御部１１は、例えば、ファンクションキーが押下される度に入力モードを切り替える（ステップＳ１，Ｓ２）。また、主制御部１１は、現在の入力モードを示す情報を表示部３に表示する。使用者等は、使いたい入力モードを示す情報が表示部３に表示されている状態で、入力したい文字その他のデータをデータ入力装置５１から入力する。データ入力装置５１には少なくともアルファベット、かな、および数字のキーが設けられているので、操作部２のテンキーを用いて文字その他のデータを入力する場合に比べて、操作性が向上している。
【００２８】
使用者等がデータをデータ入力装置５１から入力すると、そのデータに対応したコードが、データ入力装置５１からファクシミリ装置１の主制御部１１に入力される。主制御部１１は、コードが入力されたことを検知すると（ステップＳ３）、そのコードが終了コードとしてあらかじめ定められたコードであるか否か確認する（ステップＳ６）。終了コードであれば処理を終了する。なお、主制御部１１は、データ入力装置５１からコードが入力される前にファンクションキーが押下されたことを検知すると、入力モードを切り替える（ステップＳ４，Ｓ５）。
【００２９】
ステップＳ６において、終了コードでないことを検知した場合には、入力コードに応じた処理を行う（ステップＳ７）。入力コードに応じた処理とは、例えば入力モードが発信者識別情報を入力するモードである場合には、入力コードに応じた文字を表示部３に表示する処理であり、確定コードとしてあらかじめ定められたコードである場合には、それまでに入力されたコードを、記憶部１４の発信者識別情報として決められている領域に格納する処理である。
【００３０】
なお、記憶部１４が漢字ＲＯＭを含み、主制御部１１が、漢字変換処理機能を有する場合には、データ入力装置５１から漢字を入力することもできる。例えば、データ入力装置５１から「ニ」，「ホ」，「ン」のコードが順次入力された状態で、漢字変換キーとしてあらかじめ決められたキーを押下したことにもとづいて入力されるコードを主制御部１１が検知した場合には、主制御部１１は、表示部３に表示されている「ニ」，「ホ」，「ン」を「日本」に変換して表示する。
【００３１】
以上にように、この実施の形態では、ファクシミリ装置１の外部に設置されるデータ入力装置５１から、ハンドセット用のモジュラージャック２２を介して文字その他のデータを入力することができる。データ入力装置５１はファクシミリ装置１の外部に設置されることから、ファクシミリ装置１に対する面積な制約にとらわれずキー数を多くすることができる。その結果、使用者等は、文字その他のデータを容易に入力することができる。また、データ入力装置５１はモジュラージャック２２を介してファクシミリ装置１に接続されるので、データ入力装置５１の取り外しが容易であるとともに、ファクシミリ装置１に余分なコネクタを搭載しなくてよいという利点がある。
【００３２】
なお、この実施の形態では、データ入力装置５１はキーボード式のものであったが、ペンタッチ式のタッチパネルなど他の入力方式を用いてもよい。また、ファクシミリ装置１がシリアル入出力端子やパラレル入出力端子を有していれば、そのような端子にデータ入力装置を接続するようにしてもよい。さらに、データ入力装置に送受話器の機能を内蔵させてもよい。そのようにした場合には、データを入力する場合にも通信または通話を行う場合にもデータ入力装置を接続したままでよく、モジュラージャック２２においてデータ入力装置５１の接続ケーブル６１とを入れ替える手間もなくなる。
【００３３】
また、以上の説明から明らかなように、上記の実施の形態では、ファクシミリ装置１の外部に設置されるデータ入力装置５１から文字その他のデータをファクシミリ装置１入力するデータ入力方法が開示されている。そのデータ入力方法では、ファクシミリ装置１のハンドセット４を接続するモジュラージャック２２を介して文字その他のデータを入力することが特徴であり、文字その他のデータを容易に入力することができるデータ入力方法が実現されている。
【００３４】
【発明の効果】
以上のように、本発明によれば、ファクシミリ装置を、送受話器を接続するためのモジュラージャックから入力される信号を、入力されたコードに応じた情報を記憶する制御を行う制御部に供給する信号入力部を備えた構成にしたので、キー数を増やすことなく、また、装置サイズを増大させることなく、文字その他のデータを容易に入力できる効果がある。
【００３５】
また、データ入力システムにおけるデータ入力装置を、ファクシミリ装置における送受話器を接続するためのモジュラージャックに接続可能な信号出力端子を備えた構成にしたので、データ入力装置の取り外しが容易であるとともに、データ入力のためにファクシミリ装置に余分なコネクタを搭載しなくてよいという効果がある。
【図面の簡単な説明】
【図１】本発明によるファクシミリ装置とデータ入力装置とが接続された状態を示す斜視図である。
【図２】ファクシミリ装置とデータ入力装置とを接続する様子を示す斜視図である。
【図３】ファクシミリ装置の内部構成例を示すブロック図である。
【図４】ＮＣＵの一構成例を示すブロック図である。
【図５】データ入力装置の回路構成例を示すブロック図である。
【図６】データ入力装置からファクシミリ装置に伝達される信号のフォーマット例を示す説明図である。
【図７】主制御部の動作を示すフローチャートである。
【図８】従来のファクシミリ装置の一例を示す斜視図である。
【符号の説明】
１    ファクシミリ装置
２    操作部
３    表示部
４    ハンドセット
５    原稿セット台
６    記録紙排出スタッカ部
２２  モジュラージャック
５１  データ入力装置
６１  接続ケーブル
６２  先端部
【図１】
0003616597.tif 000002
【図２】
0003616597.tif 000003
【図３】
0003616597.tif 000004
【図４】
0003616597.tif 000005
【図５】
0003616597.tif 000006
【図６】
0003616597.tif 000007
【図７】
0003616597.tif 000008
【図８】
0003616597.tif 000009